(57)【要約】【課題】特別な設備を予め床下に設けることなく、高さが限られた床下スペースを有効活用して筐体内部に充分な収納スペースを確保した耐火庫を配置でき、施工の手間や設備コストを著しく低減できる床下収納耐火庫及びこれを備えた床下収納システム、並びにその施工方法を提供せんとする。【解決手段】床下所定位置Ｐ１に設置され、耐火壁で囲まれた筐体内に取出空間Ｓに対し進退自在に突出する収納トレー５を備え、前記筐体２０を支持し且つ床下の基礎面１０上を前記所定位置Ｐ１まで移動させる複数の車輪３を設け、前記所定位置に移動した筐体を当該基礎面上に固定するための固定手段４を設けた。【選択図】          図１
2004183295.tif 000002
【特許請求の範囲】
【請求項１】
収納口下の取出空間に側方より臨む床下所定の位置に設置され、耐火壁で囲まれた筐体内に前記取出空間に対して進退自在に突出する収納トレーを備えた床下収納耐火庫であって、前記筐体を支持し且つ床下の基礎面上を前記所定位置まで移動させる複数の車輪を設け、前記所定位置に移動した筐体を当該基礎面上に固定するための固定手段を設けたことを特徴とする床下収納耐火庫。
【請求項２】
前記筐体側面の下端近傍に、前記車輪を支持するためのブラケット部材を外方に突設し、該ブラケット部材に支持された各車輪の軸位置を、当該筐体の底面と略同一高さ又はそれよりも高い位置に設定してなる請求項１記載の床下収納耐火庫。
【請求項３】
前記固定手段が、前記取出空間に臨む筐体前面の下端部に断面略Ｌ形のブラケット部材を付設し、該ブラケット部材の基礎面に沿った被固定片を当該基礎面に固定するアンカーボルトを設けてなる請求項１又は２記載の床下収納耐火庫。
【請求項４】
基礎面の上方に所定高さの隙間を介して敷設される床板に収納口を設け、該収納口下の取出空間に側方より臨む床下所定の位置に、上記請求項１〜３の何れか１項に記載の床下収納耐火庫を設置してなる床下収納システムであって、前記床下収納耐火庫を前記収納口を通じて基礎面上に載置し、当該筐体を支持する車輪により該基礎面上を前記所定位置まで移動させ、移動した筐体を前記固定手段により当該基礎面上に固定して施工される床下収納システム。
【請求項５】
前記収納口を平面視四角形状とし、その下の取出空間に一辺側より臨む所定位置に前記床下収納耐火庫を設置するとともに、他の三辺のうち少なくとも一辺側より同じく取出空間に臨む床下所定の位置に、該取出空間に対して進退自在に突出する他の床下収納庫を設けてなる請求項４記載の床下収納システム。
【請求項６】
基礎面の上方に所定高さの隙間を介して敷設される床板に収納口を設け、該収納口下の取出空間に側方より臨む床下所定の位置に、上記請求項１〜３の何れか１項に記載の床下収納耐火庫を設置してなる床下収納システムの施工方法であって、前記床板を敷設した後に、前記床板の収納口を通じて前記床下収納耐火庫を基礎面上に載置し、当該筐体を支持する車輪により該基礎面上を前記所定位置まで移動させた後、前記固定手段により前記筐体を当該基礎面上に固定してなる施工方法。
【発明の詳細な説明】
【０００１】
【発明の属する技術分野】
本発明は、住宅やオフィス等に設置される床下収納耐火庫及びこれを備えた床下収納システム、並びにその施工方法に関する。
【０００２】
【従来の技術】
従来、耐火庫である金庫の床下収納システムとして、床板の収納口下に格納室を形成し、この格納室に金庫本体とこれをＸ形に交叉する各一対のリンクを介して上下方向に平行移動させる電動昇降装置とを収容したシステムが提案されている（例えば、特許文献１参照。）。また、同じく金庫の床下収納システムとして、床下の収納庫内に金庫を頑丈に取付ける取付構造が提案されている（例えば、特許文献２参照。）。
【０００３】
上記特許文献１記載の床下収納システムは、床上位置に上昇させた金庫扉を開けて物品を出し入れするものであるが、金庫を上昇させる電動昇降装置が別途必要であり、床下に充分な高さのスペースが必要であり、設備、施工のコストが増大することとなる。また、特許文献２記載の床下収納システムは、単に収納口下に金庫を取付けるものであり、収納口真下の空間のみ利用するものであって他の床下スペースを有効活用することができない。
【０００４】
これに対し、床下スペースをより有効に活用できる床下収納システムとして、平面視四角形状の収納口の下の取出空間に対して四辺それぞれの側より該取出空間に臨む床下所定の位置に、取出空間に対し進退自在に突出移動する床下収納庫を設けてなるシステムが提案されている（例えば、特許文献３、４参照。）。
【０００５】
しかしながら、金庫等の耐火庫は厚肉な耐火壁からなる筐体を有しているため、当該筐体内部に充分な収納スペースを確保するためには耐火庫全体の寸法が大きくなり、上記特許文献３に示すように筐体下面を車輪で支持するものでは当該車輪の分更に床下の空間高さが必要となり、マンション等の集合住宅や戸建て住宅の二階以上の部屋のように高さが低い床下に設置することができない。
また、引用文献４に示すように床下収納庫前面にブラケットを介して車輪を設けることにより車輪による影響を無くし、前記高さの低い床下に設置することが可能となるが、前面は他の収納庫の出し入れの際に干渉する虞があり、何れにせよ台車を案内するためのレールや収納庫を支持するためのガイドレール等の特別な設備を予め床下に設ける必要があり、施工の手間とともにコストが増大することとなる。
【０００６】
【特許文献１】
実開昭６２−１３１５８０号公報
【特許文献２】
登録実用新案第２５４２６０４号公報
【特許文献３】
実開昭６４−１８２４０号公報
【特許文献４】
特開２００２−２１３０７０号公報
【０００７】
【発明が解決しようとする課題】
そこで、本発明が前述の状況に鑑み、解決しようとするところは、特別な設備を予め床下に設ける必要もなく単純な機構により、マンション等の集合住宅や戸建て住宅の二階以上の部屋のように高さが限られた床下スペースであっても、当該スペースを有効活用して筐体内部に充分な収納スペースを確保した耐火庫を配置でき、施工の手間や設備コストを著しく低減できる床下収納耐火庫及びこれを備えた床下収納システム、並びにその施工方法を提供する点にある。
【０００８】
【課題を解決するための手段】
本発明は、前述の課題解決のために、収納口下の取出空間に側方より臨む床下所定の位置に設置され、耐火壁で囲まれた筐体内に前記取出空間に対して進退自在に突出する収納トレーを備えた床下収納耐火庫であって、前記筐体を支持し且つ床下の基礎面上を前記所定位置まで移動させる複数の車輪を設け、前記所定位置に移動した筐体を当該基礎面上に固定するための固定手段を設けたことを特徴とする床下収納耐火庫を提供する。
【０００９】
ここで、前記筐体側面の下端近傍に、前記車輪を支持するためのブラケット部材を外方に突設し、該ブラケット部材に支持された各車輪の軸位置を、当該筐体の底面と略同一高さ又はそれよりも高い位置に設定してなるものが好ましい。
【００１０】
また、前記固定手段が、前記取出空間に臨む筐体前面の下端部に断面略Ｌ形のブラケット部材を付設し、該ブラケット部材の基礎面に沿った被固定片を当該基礎面に固定するアンカーボルトを設けてなるものが好ましい。
【００１１】
また、本発明は、基礎面の上方に所定高さの隙間を介して敷設される床板に収納口を設け、該収納口下の取出空間に側方より臨む床下所定の位置に、上記床下収納耐火庫を設置してなる床下収納システムであって、前記床下収納耐火庫を前記収納口を通じて基礎面上に載置し、当該筐体を支持する車輪により該基礎面上を前記所定位置まで移動させ、移動した筐体を前記固定手段により当該基礎面上に固定して施工される床下収納システムをも提供する。
【００１２】
ここで、前記収納口を平面視四角形状とし、その下の取出空間に一辺側より臨む所定位置に前記床下収納耐火庫を設置するとともに、他の三辺のうち少なくとも一辺側より同じく取出空間に臨む床下所定の位置に、該取出空間に対して進退自在に突出する他の床下収納庫を設けてなるものが好ましい。
【００１３】
更に、本発明は、基礎面の上方に所定高さの隙間を介して敷設される床板に収納口を設け、該収納口下の取出空間に側方より臨む床下所定の位置に、上記床下収納耐火庫を設置してなる床下収納システムの施工方法であって、前記床板を敷設した後に、前記床板の収納口を通じて前記床下収納耐火庫を基礎面上に載置し、当該筐体を支持する車輪により該基礎面上を前記所定位置まで移動させた後、前記固定手段により前記筐体を当該基礎面上に固定してなる施工方法をも提供する。
【００１４】
【発明の実施の形態】
次に、本発明の実施形態を添付図面に基づき詳細に説明する。
【００１５】
図１は、本発明に係る床下収納システムの全体構成を示す分解斜視図であり、図１〜６は代表的実施形態を示し、図中符号１は床下収納システム、２は床下収納耐火庫、３は車輪、４は固定手段をそれぞれ示している。
【００１６】
本発明の床下収納システム１は、基礎面１０の上方に所定高さの隙間を介して敷設される床板１１に収納口１１ａを設け、該収納口１１ａ下の取出空間Ｓに側方より臨む床下所定の位置Ｐ１に床下収納耐火庫２を設置したものであり、前記収納口１１ａを通じて床下収納耐火庫２を基礎面１０上に載置し、当該筐体２０を支持する車輪３により該基礎面１０上を前記所定位置Ｐ１まで移動させた上、固定手段４により当該基礎面１０上に固定することにより施工される。
【００１７】
前記収納口１１ａは平面視四角形状とされ、これを閉塞する蓋体１６が着脱自在に被せられ、その下の前記取出空間Ｓに対し当該四角形の一辺側より臨む所定位置Ｐ１に前記床下収納耐火庫２が設置されるとともに、他の三辺それぞれの側より同じく前記取出空間Ｓに臨む床下所定の位置Ｐ２、Ｐ３、Ｐ４には、それぞれ該取出空間Ｓに対して進退自在に突出する他の床下収納庫６、・・・が設けられている。
【００１８】
床下収納耐火庫２は、図２に示すように、耐火壁で囲まれた筐体２０内に前記取出空間Ｓに対して進退自在に突出する収納トレー５を備え、該収納トレー５に金品その他の貴重品を収納する金庫を構成しているが、本発明は特に金庫に限定されない。前記筐体２は、後述のブラケット部材３０、４０を取付けた状態で、正方形状の収納口１１ａを通じて当該耐火庫２を床下空間の取り入れることが可能な平面視矩形状の立方体形状を有している。前記収納トレー５は、複動式のレール装置５０により支持されて前後に引き出される引出し部であり、物品等を収納或いは取り出す際にはこの収納トレー５を取出空間Ｓに引き出して行うことになる。前記レール装置５０は、図４に示すように、筐体内側面に固定された本体レール５１と、前記収納トレー５の側面に固定された移動レール５２と、両者に対してスライド自在に装着された中間レール５３とよりなり、本体レール５１から突出する中間レール５３で移動レール５２を支持することにより、取出空間Ｓに対し当該収納トレー５を大きく引き出すことが可能とされている。
【００１９】
尚、本例では前記引出し部を構成する収納トレー５を一つのみ設けているが、同様の収納トレーを複数設けたものも好ましく、また、引出しを構成するのではなく、前面に設けた扉を開いて収納トレーを手で取出し、物品等を出入するものであってもよい。また、筐体２０全体を車輪３の転動により前面に引き出し、上面に設けた扉から物品等を出入するものも好ましい例であり、この場合の上記固定手段としては基礎面に設けられた係合孔に着脱自在に嵌入されるストッパ装置等が用いられる。
【００２０】
筐体２０の左右側面の下端近傍には、図３に示すように、前記車輪３、・・・を支持するためのブラケット部材３０が外側方に突設されている。該ブラケット部材３０は、前記筐体２０の底面全体に当接する本体部３０ａと前後左右の端部に起立する支持片３０ｂ、３０ｃとを備え、筐体底部の全体を覆う支持台を構成しており、左右に起立した支持片３０ｃの上端部位を外側方に屈曲することで前記車輪を支持する突出部３１が形成され、前後に起立した支持片３０ｂは、筐体前後面の下部にビス止めされている。
【００２１】
ブラケット部材３０の左右両側の突出部３１、３１の下面には、各々前後に２個づつ車輪付きキャスター３２が付設され、計４つの車輪３、・・・により重量の大きな耐火壁からなる筐体２０を安定に支持するとともに、当該床下収納耐火庫２を所定位置Ｐ１に設置する際には、基礎面１０上を転動することにより当該床下収納耐火庫２を自立走行により前記所定位置Ｐ１まで移動させる。このようにブラケット部材３０に支持された各車輪３の軸位置は、当該筐体２０の底面と略同一高さ又はそれよりも高い位置に設定され、基礎面からの高さ、本例では筐体底部に当接するブラケット部材の本体部３０ａ下面の前記基礎面からの高さをできる限り小さくし、これにより厚い耐火壁を有するにもかかわらず限られた床下スペースに設置される場合であっても庫内容積を充分確保できるのである。
【００２２】
前記ブラケット部材３０は、本例では筐体２０の底部全面を覆う支持台を構成しているが、少なくとも筐体２０の左右側面の下端近傍において車輪５を支持する突出部を有しておれば、筐体底部の一部を支持するものや、当該側面に支持されるものであっても良い。また、車輪５の位置は筐体左右に限らず前面の下端近傍や後面の下端近傍に設けることも可能であり、それぞれ同様のブラケット部材の突出部を形成すればよい。この場合、前面の下端近傍は他の収納庫の邪魔になる可能性があるため、後面の下端近傍に設けることがより好ましく、具体的には、前記左右側面の下端近傍に設けた４つの車輪のうち後部左右の２つの車輪を省略し、代わりに後面下端近傍の左右位置にそれぞれ車輪を設ければ良い。車輪の数も筐体を安定支持できるものであれば特に限定されず、左右側面や後面の下端近傍等の適宜な位置に計５つ以上の車輪を設けることも可能である。また、ブラケット部材を設けることなく、筐体２０の下面に車輪を設けることも勿論可能である。
【００２３】
また、前記所定位置Ｐ１に移動した筐体２０を当該基礎面１０上に固定するための固定手段４として、図６にも示すように、取出空間Ｓに臨む筐体前面の下端部２１に、断面略Ｌ形のブラケット部材４０が付設されている。前記ブラケット部材４０の基礎面に沿った被固定片４０ａには、予め通孔が穿設され、該通孔を上下に貫通したアンカーボルト４１を基礎面１０に埋設することで、該被固定片４０ａを介して床下収納耐火庫２が当該位置Ｐ１に固定される。
【００２４】
床板の支持構造は、前記収納口１１ａの四隅に対応する位置と、前記床下収納耐火庫２及び他の床下収納庫のそれぞれの後方隅部に対応する位置に、それぞれ床板１１を支持するための支柱１２が立設され、前記四隅の支柱間を除く各支柱の上端間には、ゴム又は樹脂等の弾性部材からなる緩衝部材１４を介して各収納庫２、６、・・・の三方を囲む形に梁部材１３がそれぞれ水平に架設されている。各支柱１２は高さ調整可能なアジャスター機構を備え、各梁部材１３は互いに同一高さに配置され、その上端に床板１１が支持されており、各収納庫の上端は、前記梁部材１３の上端面と略同一高さ又は僅かに低く設定される。
【００２５】
床下収納庫６は、従来と同様のものが使用でき、本例では耐水性の合板からなる上面開口の略正方形の箱形状の収納容器からなり、各床下収納庫６、・・・の左右側面に対向する各梁部材１３の側面には、図６に示すように、当該収納庫側面の上端近傍に軸止された車輪６１を支持するガイドレール１５が長手方向にわたって設けられ、当該床下収納庫６は、前記車輪６１と前面下端部に設けられた基礎面上を転動するキャスター６２、６２とにより支持されて、前記床下収納耐火庫２と同様、取出空間Ｓに対して進退自在に突出されるのである。
【００２６】
車輪３が転動する基礎面には、リノリウム等の樹脂シートや耐水性合板等の薄い板材、鋼板、アルミニウム板等を設けることも好ましい。
また、車輪３を案内するレール部材を設けておけば、アンカーの位置決めが容易となる。
【００２７】
床下収納耐火庫２は、図５及び図６に示すように、施工の際、床板１１を敷設した後に前記床板の収納口１１ａを通じて基礎面１０上に載置され、当該筐体２０を支持する車輪３により該基礎面１０上を前記所定位置Ｐ１まで移動された後、上記固定手段４により前記筐体２０が当該基礎面１０上に固定されるのである。アンカーボルト４１による固定後、筐体２０が移動することはなく、したがって車輪３は基本的には使用されないが、他の床下収納庫に変更する場合など当該床下収納耐火庫２を取り出す際には再び車輪３が使用されることになる。
【００２８】
尚、本実施形態では、他の三辺の側にそれぞれ他の床下収納庫６、・・・を設けた例を示したが、本発明はこのような床下収納システム１に何ら限定されず、三辺のうちの二辺又は一辺の側にのみ他の床下収納庫６を設けることや、他の床下収納庫６を全く設けず、本発明に係る床下収納耐火庫２のみ設置したものも好ましい実施例である。
【００２９】
【発明の効果】
以上のように、本発明によれば、複数の車輪により床下収納耐火庫を自立走行させて床を張った後に収納口を通じて容易に配置でき、固定手段により配置した筐体を基礎面上に固定するだけで施工完了することから、従来の床下収納システムに比較しても施工の手間や設備コストは著しく低減する。
【００３０】
また、筐体側面の下端近傍に、車輪を支持するためのブラケット部材を外方に突設し、該ブラケット部材に支持された各車輪の軸位置を、当該筐体の底面と略同一高さ又はそれよりも高い位置に設定したので、前面の下端近傍に車輪を設けた従来のものに比べて他の収納庫の出し入れの際に干渉する虞もなく、高さが限られた床下スペースであっても当該スペースを有効活用して筐体内部に充分な収納スペースを確保できる。
【００３１】
また、固定手段が、取出空間に臨む筐体前面の下端部に断面略Ｌ形のブラケット部材を付設し、該ブラケット部材の基礎面に沿った被固定片を当該基礎面に固定するアンカーボルトを設けたので、施工は容易となる。
【００３２】
また、前記収納口を平面視四角形状とし、その下の取出空間に一辺側より臨む所定位置に前記床下収納耐火庫を設置するとともに、他の三辺のうち少なくとも一辺側より同じく取出空間に臨む床下所定の位置に、該取出空間に対して進退自在に突出する他の床下収納庫を設けたので、他の床下スペースを有効に活用できるとともに、他の床下収納庫が既設されている床下スペースに本発明の床下収納耐火庫を容易に取付けることができる。
【図面の簡単な説明】
【図１】本発明の代表的実施形態に係る床下収納システムを示す分解斜視図。
【図２】同じく床下収納システムの床板を省略した平面図。
【図３】床下に設置された床下収納耐火庫を示す正面図。
【図４】収納トレーのレール装置の要部を示す部分断面図。
【図５】床下収納耐火庫を収納口から基礎面上に載置した様子を示す断面図。
【図６】床下収納耐火庫を所定位置に設置した状態を示す断面図。
【符号の説明】
１  床下収納システム
２  床下収納耐火庫
３  車輪
４  固定手段
５  収納トレー
６  床下収納庫
１０  基礎面
１１  床板
１１ａ  収納口
１２  支柱
１３  梁部材
１４  緩衝部材
１５  ガイドレール
１６  蓋体
２０  筐体
２１  下端部
３０  ブラケット部材
３０ａ  本体部
３０ｂ  支持片
３０ｃ  支持片
３１  突出部
３２  キャスター
４０  ブラケット部材
４０ａ  被固定片
４１  アンカーボルト
５０  レール装置
５１  本体レール
５２  移動レール
５３  中間レール
６１  車輪
６２  キャスター
Ｐ１、Ｐ２、Ｐ３、Ｐ４  位置
Ｓ  取出空間
【図１】
2004183295.tif 000003
【図２】
2004183295.tif 000004
【図３】
2004183295.tif 000005
【図４】
2004183295.tif 000006
【図５】
2004183295.tif 000007
【図６】
2004183295.tif 000008